(57)【要約】【課題】広告やコンテンツ画像など印刷対象となる画像をデータ化した画像データを、画像を作成した著作者が意図したとおりに、正確かつ安全に提供すること。【解決手段】印刷支援サーバ１１０では、画像データ１２０１を、画像データ１２０２と画像データ１２０３とに分割する（Ｓ７０５）。一部の分割データ１２０２を先に送信し（Ｓ７０６）、精算確認後に、他の分割データ１２０３を送信する（Ｓ７０８）。一方、印刷処理装置１２０では、一部の分割データ１２０２を受信し（Ｓ８０７）、精算確認をした場合に他の分割データ１２０３を受信する（Ｓ８１２）。そして、一部の分割データ１２０２と他の分割データ１２０３とを合成し、元の画像データ１２０１に復元する（Ｓ８１３）。【選択図】        図１３
2005085120.tif 000002
【特許請求の範囲】
【請求項１】
印刷対象となる画像の画像データを、印刷支援サーバからネットワークを介して印刷処理装置に供給する印刷支援システムであって、
前記印刷支援サーバは、
前記画像データを複数に分割する画像データ分割手段と、
前記画像データ分割手段による分割によって得られた複数の分割データのうち一部の分割データを前記印刷処理装置に送信する第１の分割データ送信手段と、
前記画像データ分割手段による分割によって得られた複数の分割データのうち前記一部の分割データ以外の他の分割データを、前記一部の分割データとは別に前記印刷処理装置に送信する第２の分割データ送信手段と、を備え、
前記印刷処理装置は、
前記一部の分割データおよび前記他の分割データを受信する分割データ受信手段と、
前記分割データ受信手段によって受信された前記一部の分割データおよび前記他の分割データに基づいて、前記画像データを復元する画像データ復元手段と、
を備えることを特徴とする印刷支援システム。
【請求項２】
前記画像データ分割手段は、前記画像データを、前記画像データの領域に基づいて分割することを特徴とする請求項１に記載の印刷支援システム。
【請求項３】
前記画像データ分割手段は、前記画像データを、色空間に基づいて分割することを特徴とする請求項１に記載の印刷支援システム。
【請求項４】
前記印刷支援サーバは、
前記印刷処理装置における前記画像データの印刷処理を許可するか否かを判定する印刷許可判定手段を備え、
前記第２の分割データ送信手段は、前記印刷許可判定手段による判定結果に基づいて、前記他の分割データを送信することを特徴とする請求項１〜３のいずれか一つに記載の印刷支援システム。
【請求項５】
前記印刷支援サーバは、
前記他の分割データに基づいて暗号鍵を生成し、前記生成された暗号鍵によって、前記一部の分割データを暗号化する分割データ暗号化手段を備え、
前記第１の分割データ送信手段は、前記分割データ暗号化手段によって暗号化された一部の分割データを、前記印刷処理装置に送信し、
前記第２の分割データ送信手段は、前記暗号鍵を前記他の分割データに添付して、前記暗号鍵が添付された前記他の分割データを、前記一部の分割データとは別に前記印刷処理装置に送信し、
前記印刷処理装置は、
前記暗号化された一部の分割データを、前記他の分割データに添付された暗号鍵によって復号する分割データ復号手段を備え、
前記画像データ復元手段は、前記分割データ復号手段によって復号された一部の分割データと、前記暗号鍵が添付された他の分割データとに基づいて、前記画像データを復元することを特徴とする請求項１〜４のいずれか一つに記載の印刷支援システム。
【請求項６】
印刷対象となる画像の画像データを、印刷をおこなう印刷処理装置にネットワークを介して供給する印刷支援サーバであって、
前記印刷処理装置から前記印刷対象となる画像の印刷要求を受け付ける印刷要求受付手段と、
前記印刷要求受付手段によって印刷要求が受け付けられた前記印刷対象となる画像の画像データを複数に分割する画像データ分割手段と、
前記画像データ分割手段による分割によって得られた複数の分割データのうち一部の分割データを前記印刷処理装置に送信する第１の分割データ送信手段と、
前記画像データ分割手段による分割によって得られた複数の分割データのうち前記一部の分割データ以外の他の分割データを、前記一部の分割データとは別に前記印刷処理装置に送信する第２の分割データ送信手段と、
を備えることを特徴とする印刷支援サーバ。
【請求項７】
前記画像データ分割手段は、前記画像データを、前記画像データの領域に基づいて分割することを特徴とする請求項６に記載の印刷支援サーバ。
【請求項８】
前記画像データ分割手段は、前記画像データを、色空間に基づいて分割することを特徴とする請求項６に記載の印刷支援サーバ。
【請求項９】
前記印刷処理装置における前記画像データの印刷処理を許可するか否かを判定する印刷許可判定手段を備え、
前記第２の分割データ送信手段は、前記印刷許可判定手段による判定結果に基づいて、前記他の分割データを送信することを特徴とする請求項６〜８のいずれか一つに記載の印刷支援サーバ。
【請求項１０】
前記他の分割データに基づいて暗号鍵を生成し、前記生成された暗号鍵によって、前記一部の分割データを暗号化する分割データ暗号化手段を備え、
前記第１の分割データ送信手段は、前記分割データ暗号化手段によって暗号化された一部の分割データを、前記印刷処理装置に送信し、
前記第２の分割データ送信手段は、前記暗号鍵を前記他の分割データに添付して、前記暗号鍵が添付された前記他の分割データを、前記一部の分割データとは別に前記印刷処理装置に送信することを特徴とする請求項６〜９のいずれか一つに記載の印刷支援サーバ。
【請求項１１】
印刷対象となる画像の画像データを記憶する印刷支援サーバとネットワークを介して交信可能であり、前記画像データの印刷をおこなう印刷処理装置であって、
前記画像データが分割されたことによって得られた複数の分割データのうちの一部の分割データを、前記印刷支援サーバから受信する第１の分割データ受信手段と、
前記画像データが分割されたことによって得られた複数の分割データのうちの一部の分割データ以外の他の分割データを、前記一部の分割データとは別に、前記印刷支援サーバから受信する第２の分割データ受信手段と、
前記第１および第２の分割データ受信手段によって受信された一部の分割データおよび他の分割データに基づいて、前記画像データを復元する画像データ復元手段と、
を備えることを特徴とする印刷処理装置。
【請求項１２】
印刷対象となる画像の画像データを記憶する印刷支援サーバとネットワークを介して交信可能であり、前記画像データの印刷をおこなう印刷処理装置であって、
前記画像データが分割されたことによって得られた複数の分割データのうちの一部の分割データであって、前記複数の分割データのうちの一部の分割データ以外の他の分割データに基づいて生成された暗号鍵によって暗号化されたものを、前記印刷支援サーバから受信する第１の分割データ受信手段と、
前記暗号鍵が添付された他の分割データを、前記暗号化された一部の分割データとは別に、前記印刷支援サーバから受信する第２の分割データ受信手段と、
前記他の分割データに添付された暗号鍵によって、前記暗号化された一部の分割データを復号する分割データ復号手段と、
前記分割データ復号手段によって復号された一部の分割データと、前記暗号鍵が添付された他の分割データとに基づいて、前記画像データを復元する画像データ復元手段と、
を備えることを特徴とする印刷処理装置。
【請求項１３】
印刷をおこなう印刷処理装置による印刷処理を支援する印刷支援方法であって、
前記印刷処理装置から印刷対象となる画像の印刷要求を受け付ける印刷要求受付工程と、
前記印刷要求受付工程によって印刷要求が受け付けられた前記印刷対象となる画像の画像データを、一部の分割データと、前記一部以外の他の分割データとに分割する画像データ分割工程と、
前記一部の分割データを前記印刷処理装置に送信する第１の分割データ送信工程と、
前記他の分割データを、前記一部の分割データとは別に前記印刷処理装置に送信する第２の分割データ送信工程と、
含んだことを特徴とする印刷支援方法。
【請求項１４】
前記画像データ分割工程は、前記画像データを、前記画像データの領域に基づいて分割することを特徴とする請求項１３に記載の印刷支援方法。
【請求項１５】
前記画像データ分割工程は、前記画像データを、色空間に基づいて分割することを特徴とする請求項１３に記載の印刷支援方法。
【請求項１６】
さらに、前記印刷処理装置における前記画像データの印刷処理を許可するか否かを判定する印刷許可判定工程を含み、
前記第２の分割データ送信工程は、前記印刷許可判定工程による判定結果に基づいて、前記他の分割データを送信することを特徴とする請求項１３〜１５のいずれか一つに記載の印刷支援方法。
【請求項１７】
前記他の分割データに基づいて暗号鍵を生成し、前記生成された暗号鍵によって、前記一部の分割データを暗号化する分割データ暗号化工程を含み、
前記第１の分割データ送信工程は、前記分割データ暗号化工程によって暗号化された一部の分割データを、前記印刷処理装置に送信し、
前記第２の分割データ送信工程は、前記暗号鍵を前記他の分割データに添付して、前記暗号鍵が添付された前記他の分割データを、前記一部の分割データとは別に、前記印刷処理装置に送信することを特徴とする請求項１３〜１６のいずれか一つに記載の印刷支援方法。
【請求項１８】
印刷支援サーバに記憶された印刷対象となる画像の画像データの印刷をおこなう印刷処理方法であって、
前記画像データが分割されたことによって得られた複数の分割データのうちの一部の分割データを、前記印刷支援サーバから受信する第１の分割データ受信工程と、
前記画像データが分割されたことによって得られた複数の分割データのうちの一部の分割データ以外の他の分割データを、前記一部の分割データとは別に、前記印刷支援サーバから受信する第２の分割データ受信工程と、
前記第１および第２の分割データ受信工程によって受信された一部の分割データおよび他の分割データに基づいて、前記画像データを復元する画像データ復元工程と、
を含んだことを特徴とする印刷処理方法。
【請求項１９】
印刷支援サーバに記憶されている、印刷対象となる画像の画像データの印刷をおこなう印刷処理方法であって、
前記画像データが分割されたことによって得られた複数の分割データのうちの一部の分割データであって、前記複数の分割データのうちの一部の分割データ以外の他の分割データに基づいて生成された暗号鍵によって暗号化されたものを、前記印刷支援サーバから受信する第１の分割データ受信工程と、
前記暗号鍵が添付された他の分割データを、前記暗号化された一部の分割データとは別に、前記印刷支援サーバから受信する第２の分割データ受信工程と、
前記他の分割データに添付された暗号鍵によって、前記暗号化された一部の分割データを復号する分割データ復号工程と、
前記分割データ復号工程によって復号された一部の分割データと、前記暗号鍵が添付された他の分割データとに基づいて、前記画像データを復元する画像データ復元工程と、
を含んだことを特徴とする印刷処理方法。
【請求項２０】
請求項１３〜１７のいずれか一つに記載の方法を、コンピュータに実行させることを特徴とする印刷支援プログラム。
【請求項２１】
請求項１８または１９に記載の方法を、コンピュータに実行させることを特徴とする印刷処理プログラム。
【発明の詳細な説明】
【技術分野】
【０００１】
この発明は、広告やコンテンツ画像などの画像の印刷処理をおこなうための印刷支援システム、印刷支援サーバ、印刷処理装置、印刷支援方法、印刷処理方法、印刷支援プログラムおよび印刷処理プログラムに関する。
【背景技術】
【０００２】
現在、街頭のポスターや、新聞紙上、テレビＣＭ等のメディアを利用して各種企業の広告が掲載または放送されている。このような企業の広告は、多額の費用をかけて作成されており、特に成熟産業においてその傾向が顕著である。この広告の作成には、有名なディレクター、クリエータ、フォトグラファー、アーティスト、タレント等が起用されている。また、広告内容も創造的で、高品質なものが多く、最近の傾向としては、単なる商品内容を説明する広告よりも、企業や商品のイメージを宣伝する広告が多い。
【０００３】
このような広告は、例えばテレビ視聴時に広告ＣＭを目立たせて宣伝効果を狙う意図を有して制作されており、広告の画像自体が価値を有するまでに至っている。例えば、有名なタレントが掲載されているポスターについては、掲載枚数が限定されている要因も加わって、ポスターそのものが貴重な商品の価値を有するものとなっている。このような広告は流通を前提としたものではないため、一般には入手不可能であり、故に入手を切望している者も多い。
【０００４】
したがって、最終的な画像表示、あるいは印刷出力の品質を見込んで制作され、また限定して制作したものであるため、単に広告の画像データを、ネットワーク等を介して公開することができず、商品等の宣伝を適切にユーザに伝達するために、制作側が意図したとおりに印刷出力できる印刷品質が要求されている。
【０００５】
また、このような広告のほか、絵画、写真、グラビア、ポスターなど、放送やネットワーク上で提供されるコンテンツ画像についても上述の広告と同様、貴重な商品の価値を有するとともに、これらのコンテンツ画像がネットワーク上で流通することにより、その著作者の知名度アップにも貢献している。
【０００６】
また、近年のインターネット等の通信環境が整備されたこともあって、インターネットを介して壁紙などのデジタル素材をダウンロードすることができるサイトも存在する（たとえば、下記非特許文献１を参照。）。
【０００７】
【非特許文献１】Ｙａｈｏｏ！  ＪＡＰＡＮ、［online］、［平成１５年７月２８日検索］、インターネット＜ＵＲＬ：http://download.computers.yahoo.co.jp/download/jcnland/＞
【発明の開示】
【発明が解決しようとする課題】
【０００８】
しかしながら、上述した入手困難な広告やコンテンツ画像を、上記非特許文献１の従来技術のように、なんら規制もなくダウンロードできることとすると、印刷出力をおこなうまでの間に、ダウンロードした画像のコピーや改ざんがおこなわれる場合がある。したがって、上述した広告やコンテンツ画像を作成した著作者またはその画像をデータ化して提供するサーバ側（以下、「画像提供者」）が意図したとおりに印刷出力することができない場合があり、印刷品質が低下するという問題があった。
【０００９】
また、上述した広告やコンテンツ画像を作成した側が意図したとおりに印刷出力がされないと、画像提供者が提供したい画像をユーザに供給することができず、作成された画像や画像提供者の保護が図れないという問題があった。
【００１０】
また、印刷出力をおこなうまでの間に、ダウンロードした画像のコピーや改ざんがおこなわれると、ユーザが希望する画像を取得することができず、ユーザの期待を裏切ることとなる。
【００１１】
この発明は、上述した従来技術による問題点を解消するため、広告やコンテンツ画像など印刷対象となる画像をデータ化した画像データを、画像を作成した著作者が意図したとおりに、正確かつ安全に供給することができる印刷支援システム、印刷支援サーバ、印刷処理装置、印刷支援方法、印刷処理方法、印刷支援プログラムおよび印刷処理プログラムを提供することを目的とする。
【課題を解決するための手段】
【００１２】
上述した課題を解決し、目的を達成するため、請求項１の発明にかかる印刷支援システムは、印刷対象となる画像の画像データを、印刷支援サーバからネットワークを介して印刷処理装置に供給する印刷支援システムであって、前記印刷支援サーバは、前記画像データを複数に分割する画像データ分割手段と、前記画像データ分割手段による分割によって得られた複数の分割データのうち一部の分割データを前記印刷処理装置に送信する第１の分割データ送信手段と、前記画像データ分割手段による分割によって得られた複数の分割データのうち前記一部の分割データ以外の他の分割データを、前記一部の分割データとは別に前記印刷処理装置に送信する第２の分割データ送信手段と、を備え、前記印刷処理装置は、前記一部の分割データおよび前記他の分割データを受信する分割データ受信手段と、前記分割データ受信手段によって受信された前記一部の分割データおよび前記他の分割データに基づいて、前記画像データを復元する画像データ復元手段と、を備えることを特徴とする。
【００１３】
この請求項１の発明によれば、印刷支援サーバから送信された複数の分割データが、印刷処理装置においてすべて受信された場合にのみ、印刷対象となる画像の画像データを復元することができる。これにより、印刷対象となる画像の印刷出力を印刷処理装置によっておこなうことができる。
【００１４】
また、請求項２の発明にかかる印刷支援システムは、請求項１に記載の発明において、前記画像データ分割手段は、前記画像データを、前記画像データの領域に基づいて分割することを特徴とする。
【００１５】
この請求項２の発明によれば、印刷対象となる画像の画像データを、画像の一部が欠落した複数の分割データとして、印刷処理装置に送信することができる。
【００１６】
また、請求項３の発明にかかる印刷支援システムは、請求項１に記載の発明において、前記画像データ分割手段は、前記画像データを、色空間に基づいて分割することを特徴とする。
【００１７】
この請求項３の発明によれば、印刷対象となる画像の画像データを、色抜けした複数の分割データとして、印刷処理装置に送信することができる。
【００１８】
また、請求項４の発明にかかる印刷支援システムは、請求項１〜３のいずれか一つに記載の発明において、前記印刷支援サーバは、前記印刷処理装置における前記画像データの印刷処理を許可するか否かを判定する印刷許可判定手段を備え、前記第２の分割データ送信手段は、前記印刷許可判定手段による判定結果に基づいて、前記他の分割データを送信することを特徴とする。
【００１９】
この請求項４の発明によれば、複数の分割データを、印刷処理装置に対し段階的に送信することができる。
【００２０】
また、請求項５の発明にかかる印刷支援システムは、請求項１〜４のいずれか一つに記載の発明において、前記印刷支援サーバは、前記他の分割データに基づいて暗号鍵を生成し、前記生成された暗号鍵によって、前記一部の分割データを暗号化する分割データ暗号化手段を備え、前記第１の分割データ送信手段は、前記分割データ暗号化手段によって暗号化された一部の分割データを、前記印刷処理装置に送信し、前記第２の分割データ送信手段は、前記暗号鍵を前記他の分割データに添付して、前記暗号鍵が添付された前記他の分割データを、前記一部の分割データとは別に前記印刷処理装置に送信し、前記印刷処理装置は、前記暗号化された一部の分割データを、前記他の分割データに添付された暗号鍵によって復号する分割データ復号手段を備え、前記画像データ復元手段は、前記分割データ復号手段によって復号された一部の分割データと、前記暗号鍵が添付された他の分割データとに基づいて、前記画像データを復元することを特徴とする。
【００２１】
この請求項５の発明によれば、印刷支援サーバから送信された複数の分割データが、印刷処理装置においてすべて受信された場合にのみ、印刷対象となる画像の画像データを復元することができる。
【００２２】
また、請求項６の発明にかかる印刷支援サーバは、印刷対象となる画像の画像データを、印刷をおこなう印刷処理装置にネットワークを介して供給する印刷支援サーバであって、前記印刷処理装置から前記印刷対象となる画像の印刷要求を受け付ける印刷要求受付手段と、前記印刷要求受付手段によって印刷要求が受け付けられた前記印刷対象となる画像の画像データを複数に分割する画像データ分割手段と、前記画像データ分割手段による分割によって得られた複数の分割データのうち一部の分割データを前記印刷処理装置に送信する第１の分割データ送信手段と、前記画像データ分割手段による分割によって得られた複数の分割データのうち前記一部の分割データ以外の他の分割データを、前記一部の分割データとは別に前記印刷処理装置に送信する第２の分割データ送信手段と、を備えることを特徴とする。
【００２３】
この請求項６の発明によれば、印刷対象となる画像の画像データを、印刷処理装置に対し、分割して送信することができる。
【００２４】
また、請求項７の発明にかかる印刷支援サーバは、請求項６に記載の発明において、前記画像データ分割手段は、前記画像データを、前記画像データの領域に基づいて分割することを特徴とする。
【００２５】
この請求項７の発明によれば、印刷対象となる画像の画像データを、画像の一部が欠落した複数の分割データとして、印刷処理装置に送信することができる。
【００２６】
また、請求項８の発明にかかる印刷支援サーバは、請求項６に記載の発明において、前記画像データ分割手段は、前記画像データを、色空間に基づいて分割することを特徴とする。
【００２７】
この請求項８の発明によれば、印刷対象となる画像の画像データを、色抜けした複数の分割データとして、印刷処理装置に送信することができる。
【００２８】
また、請求項９の発明にかかる印刷支援サーバは、請求項６〜８のいずれか一つに記載の発明において、前記印刷処理装置における前記画像データの印刷処理を許可するか否かを判定する印刷許可判定手段を備え、前記第２の分割データ送信手段は、前記印刷許可判定手段による判定結果に基づいて、前記他の分割データを送信することを特徴とする。
【００２９】
この請求項９の発明によれば、複数の分割データを、印刷処理装置に対し段階的に送信することができる。
【００３０】
また、請求項１０の発明にかかる印刷支援サーバは、請求項６〜９のいずれか一つに記載の発明において、前記他の分割データに基づいて暗号鍵を生成し、前記生成された暗号鍵によって、前記一部の分割データを暗号化する分割データ暗号化手段を備え、前記第１の分割データ送信手段は、前記分割データ暗号化手段によって暗号化された一部の分割データを、前記印刷処理装置に送信し、前記第２の分割データ送信手段は、前記暗号鍵を前記他の分割データに添付して、前記暗号鍵が添付された前記他の分割データを、前記一部の分割データとは別に前記印刷処理装置に送信することを特徴とする。
【００３１】
この請求項１０の発明によれば、一部の分割データを暗号化して印刷処理装置へ送信することができる。
【００３２】
また、請求項１１の発明にかかる印刷処理装置は、印刷対象となる画像の画像データを記憶する印刷支援サーバとネットワークを介して交信可能であり、前記画像データの印刷をおこなう印刷処理装置であって、前記画像データが分割されたことによって得られた複数の分割データのうちの一部の分割データを、前記印刷支援サーバから受信する第１の分割データ受信手段と、前記画像データが分割されたことによって得られた複数の分割データのうちの一部の分割データ以外の他の分割データを、前記一部の分割データとは別に、前記印刷支援サーバから受信する第２の分割データ受信手段と、前記第１および第２の分割データ受信手段によって受信された一部の分割データおよび他の分割データに基づいて、前記画像データを復元する画像データ復元手段と、を備えることを特徴とする。
【００３３】
この請求項１１の発明によれば、印刷支援サーバから送信された複数の分割データを、印刷対象となる画像の画像データに復元することができる。これにより、印刷対象となる画像の印刷出力をおこなうことができる。
【００３４】
また、請求項１２の発明にかかる印刷処理装置は、印刷対象となる画像の画像データを記憶する印刷支援サーバとネットワークを介して交信可能であり、前記画像データの印刷をおこなう印刷処理装置であって、前記画像データが分割されたことによって得られた複数の分割データのうちの一部の分割データであって、前記複数の分割データのうちの一部の分割データ以外の他の分割データに基づいて生成された暗号鍵によって暗号化されたものを、前記印刷支援サーバから受信する第１の分割データ受信手段と、前記暗号鍵が添付された他の分割データを、前記暗号化された一部の分割データとは別に、前記印刷支援サーバから受信する第２の分割データ受信手段と、前記他の分割データに添付された暗号鍵によって、前記暗号化された一部の分割データを復号する分割データ復号手段と、前記分割データ復号手段によって復号された一部の分割データと、前記暗号鍵が添付された他の分割データとに基づいて、前記画像データを復元する画像データ復元手段と、を備えることを特徴とする。
【００３５】
この請求項１２の発明によれば、印刷支援サーバから暗号化された一部の分割データを受信しても、画像データを復元することができる。
【００３６】
また、請求項１３の発明にかかる印刷支援方法は、印刷をおこなう印刷処理装置による印刷処理を支援する印刷支援方法であって、前記印刷処理装置から印刷対象となる画像の印刷要求を受け付ける印刷要求受付工程と、前記印刷要求受付工程によって印刷要求が受け付けられた前記印刷対象となる画像の画像データを、一部の分割データと、前記一部以外の他の分割データとに分割する画像データ分割工程と、前記一部の分割データを前記印刷処理装置に送信する第１の分割データ送信工程と、前記他の分割データを、前記一部の分割データとは別に前記印刷処理装置に送信する第２の分割データ送信工程と、含んだことを特徴とする。
【００３７】
この請求項１３の発明によれば、印刷対象となる画像の画像データを、印刷処理装置に対し、分割して送信することができる。
【００３８】
また、請求項１４の発明にかかる印刷支援方法は、請求項１３に記載の発明において、前記画像データ分割工程は、前記画像データを、前記画像データの領域に基づいて分割することを特徴とする。
【００３９】
この請求項１４の発明によれば、印刷対象となる画像の画像データを、画像の一部が欠落した複数の分割データとして、印刷処理装置に送信することができる。
【００４０】
また、請求項１５の発明にかかる印刷支援方法は、請求項１３に記載の発明において、前記画像データ分割工程は、前記画像データを、色空間に基づいて分割することを特徴とする。
【００４１】
この請求項１５の発明によれば、印刷対象となる画像の画像データを、色抜けした複数の分割データとして、印刷処理装置に送信することができる。
【００４２】
また、請求項１６の発明にかかる印刷支援方法は、請求項１３〜１５のいずれか一つに記載の発明において、さらに、前記印刷処理装置における前記画像データの印刷処理を許可するか否かを判定する印刷許可判定工程を含み、前記第２の分割データ送信工程は、前記印刷許可判定工程による判定結果に基づいて、前記他の分割データを送信することを特徴とする。
【００４３】
この請求項１６の発明によれば、複数の分割データを、印刷処理装置に対し段階的に送信することができる。
【００４４】
また、請求項１７の発明にかかる印刷支援方法は、請求項１３〜１６のいずれか一つに記載の発明において、前記他の分割データに基づいて暗号鍵を生成し、前記生成された暗号鍵によって、前記一部の分割データを暗号化する分割データ暗号化工程を含み、前記第１の分割データ送信工程は、前記分割データ暗号化工程によって暗号化された一部の分割データを、前記印刷処理装置に送信し、前記第２の分割データ送信工程は、前記暗号鍵を前記他の分割データに添付して、前記暗号鍵が添付された前記他の分割データを、前記一部の分割データとは別に、前記印刷処理装置に送信することを特徴とする。
【００４５】
この請求項１７の発明によれば、一部の分割データを暗号化して印刷処理装置へ送信することができる。
【００４６】
また、請求項１８の発明にかかる印刷処理方法は、印刷支援サーバに記憶されている、印刷対象となる画像の画像データの印刷をおこなう印刷処理方法であって、前記画像データが分割されたことによって得られた複数の分割データのうちの一部の分割データを、前記印刷支援サーバから受信する第１の分割データ受信工程と、前記画像データが分割されたことによって得られた複数の分割データのうちの一部の分割データ以外の他の分割データを、前記一部の分割データとは別に、前記印刷支援サーバから受信する第２の分割データ受信工程と、前記第１および第２の分割データ受信工程によって受信された一部の分割データおよび他の分割データに基づいて、前記画像データを復元する画像データ復元工程と、を含んだことを特徴とする。
【００４７】
この請求項１８の発明によれば、印刷支援サーバから送信された複数の分割データによって、印刷対象となる画像の画像データを復元することができる。これにより、印刷対象となる画像の印刷出力をおこなうことができる。
【００４８】
また、請求項１９の発明にかかる印刷処理方法は、印刷支援サーバに記憶された印刷対象となる画像の画像データの印刷をおこなう印刷処理方法であって、前記画像データが分割されたことによって得られた複数の分割データのうちの一部の分割データであって、前記複数の分割データのうちの一部の分割データ以外の他の分割データに基づいて生成された暗号鍵によって暗号化されたものを、前記印刷支援サーバから受信する第１の分割データ受信工程と、前記暗号鍵が添付された他の分割データを、前記暗号化された一部の分割データとは別に、前記印刷支援サーバから受信する第２の分割データ受信工程と、前記他の分割データに添付された暗号鍵によって、前記暗号化された一部の分割データを復号する分割データ復号工程と、前記分割データ復号工程によって復号された一部の分割データと、前記暗号鍵が添付された他の分割データとに基づいて、前記画像データを復元する画像データ復元工程と、を含んだことを特徴とする。
【００４９】
この請求項１９の発明によれば、印刷支援サーバから暗号化された一部の分割データを受信しても、画像データを復元することができる。
【００５０】
また、請求項２０の発明にかかる印刷支援プログラムは、請求項１３〜１７のいずれか一つに記載の方法を、コンピュータに実行させることを特徴とする。
【００５１】
この請求項２０の発明によれば、請求項１３〜１７のいずれか一つに記載の印刷支援方法を、コンピュータによって実現することができる。
【００５２】
また、請求項２１の発明にかかる印刷処理プログラムは、請求項１８または１９に記載の方法を、コンピュータに実行させることを特徴とする。
【００５３】
この請求項２１の発明によれば、請求項１８または１９に記載の印刷処理方法を、コンピュータによって実現することができる。
【発明の効果】
【００５４】
この発明によれば、広告やコンテンツ画像など印刷対象となる画像をデータ化した画像データを、画像を作成した著作者が意図したとおりに、正確かつ安全に提供することができるという効果を奏する。
【発明を実施するための最良の形態】
【００５５】
以下に添付図面を参照して、この発明にかかる印刷支援システム、印刷支援サーバ、印刷処理装置、印刷支援方法、印刷処理方法、印刷支援プログラムおよび印刷処理プログラムの好適な実施の形態を詳細に説明する。
【００５６】
（印刷支援システムの全体構成）
図１は、この発明による印刷支援システムを説明するための全体構成を示す概要図である。印刷支援システム１００は、印刷支援サーバ１１０と、一または複数の印刷処理装置１２０と、インターネット、ＬＡＮ、ＷＡＮなどのネットワーク１３０を介して相互に交信可能に接続されている。
【００５７】
印刷支援サーバ１１０は、画像情報データベース３００と、ユーザ情報データベース４００と、を備えており、これらのデータベース３００、４００に基づいて、各種データを印刷処理装置１２０に配信する。
【００５８】
印刷処理装置１２０（１２０ａ〜１２０ｎ）は、上述した広告やコンテンツ画像などの画像を印刷出力するための端末であり、たとえば、各ユーザの自宅等に設置されている。印刷処理装置１２０は、広告やコンテンツ画像などの画像を制作側の意図通りに印刷出力できるよう調整された機器群からなる。
【００５９】
印刷処理装置１２０を構成する機器群は、画像を印刷出力するための専用のプリントサーバ１２１と、画像を印刷出力するための専用のプリンタ１２２と、図示しない専用ソフトウェアと、ＬＡＮ等のネットワーク１２３を介して接続される端末装置１２４からなる。端末装置１２４には、汎用のパーソナル・コンピュータ（ＰＣ）が用いられ、ユーザが既に所持しているＰＣを用いることもできる。
【００６０】
上記の専用ソフトウェアは、プリントサーバ１２１と、端末装置１２４にそれぞれインストールされ、プログラム実行により画像の印刷出力をおこない、また、ユーザ側での広告費用の管理をおこなう。端末装置１２４上では、画像を印刷出力するときの画像レイアウト、プリント設定、プリントジョブの作成および管理、印刷支援サーバ１１０に対するジョブの送付等をおこなう。プリントサーバ１２１上では、ジョブリスト、プリンタ状態の監視、プリント処理、プリンタメンテナンス等をおこなう。
【００６１】
印刷処理装置１２０は、画像を簡単かつ高品質に印刷出力できるよう、出荷する印刷処理装置（機器群）１２０毎に調整作業がおこなわれ、シリアル番号（プリンタＩＤ）を付与して出荷される。また、専用ソフトウェアは、ユーザがおこなう操作全般をできるだけ簡単におこなえるよう調整されている。
【００６２】
例えば、レイアウト等の編集作業、プリント（印刷出力）処理を簡単におこなえるよう一連に手順化されている。また、ドライバ設定、色調整等は、出荷時の機器群の状態にあわせて調整作業される。これにより、コンピュータ操作に不慣れな者であっても取得した画像の色調整等が適切に設定され、作成側が意図した状態で高品質に印刷出力できる。
【００６３】
この印刷処理装置１２０は、ユーザ宅等への機器群の設置後においても、付与されたシリアル番号を基に、機器群に対する保守および修理と、インク（またはトナー）や印刷用紙等の消耗品の調達を一貫して提供する。これにより、印刷処理装置１２０の設置後においても継続して画像を高品質に印刷出力できるようになっている。
【００６４】
また、印刷処理装置１２０の機器群を構成しているプリンタ１２２は、インクジェット技術を用いて画像を印刷出力する。このインクジェット方式によるプリンタ１２２は、マッハジェット（Ｒ）と呼称されている技術を用い、圧電素子に電圧を加えて振動させ、インクに圧力を加えることにより水鉄砲の如くインクを射出させて画像を形成させるものである。
【００６５】
このようなプリンタ１２２は、省スペースおよび低価格であり、また、システム化した機器群の構成により、従来のＤＰＥサービスやミニラボと同等の品質を有して印刷出力することができる。なお、現像液等を使用しないため、地球環境を保全することもできる。なお、プリンタ１２２はトナーを用いたレーザプリンタを用いることもできる。
【００６６】
（印刷支援サーバおよび印刷処理装置のハードウェア構成）
つぎに、この実施の形態にかかる印刷支援サーバ１１０および印刷処理装置１２０のハードウェア構成について説明する。図２は、この実施の形態にかかる印刷支援サーバ１１０および印刷処理装置１２０のハードウェア構成を示すブロック図である。
【００６７】
印刷支援サーバ１１０および印刷処理装置１２０は各々、ＣＰＵ２０１と、ＲＯＭ２０２と、ＲＡＭ２０３と、ＨＤＤ（ハードディスクドライブ）２０４と、ＨＤ（ハードディスク）２０５と、ＦＤＤ（フレキシブルディスクドライブ）２０６と、ディスプレイ２０７と、Ｉ／Ｆ（インターフェース）２０８と、キーボード２０９と、マウス２１０と、スキャナ２１１と、プリンタ２１２と、ディスクドライブ２１３と、を備えている。また、各構成部は、バス２００によってそれぞれ接続されている。
【００６８】
ここで、ＣＰＵ２０１は、印刷支援サーバ１１０（または印刷処理装置１２０）の全体の制御を司る。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００６９】
ＦＤＤ２０６は、ＣＰＵ２０１の制御にしたがって、着脱可能な記録媒体であるＦＤ（フレキシブルディスク）２１４に対するデータのリード／ライトを制御する。このＦＤ２１４は、ＦＤＤ２０６の制御で書き込まれたデータを記憶したり、ＦＤ２１４に記憶されたデータを読み取らせたりする。
【００７０】
ディスプレイ２０７は、カーソル、アイコンあるいはツールボックスをはじめ、文書、画像、機能情報などのデータを表示する。このディスプレイ２０７は、たとえば、ＣＲＴ、ＴＦＴ液晶ディスプレイ、プラズマディスプレイ等を採用することができる。
【００７１】
Ｉ／Ｆ２０８は、通信ケーブル２１５を通じてインターネットなどのネットワーク１３０に接続され、このネットワーク１３０を介して他の装置に接続される。そして、Ｉ／Ｆ２０８は、ネットワーク１３０と内部のインターフェースを司り、外部装置からのデータの入出力を制御する。Ｉ／Ｆ２０８には、たとえばモデムやＬＡＮアダプタなどを採用することができる。
【００７２】
キーボード２０９は、文字、数字、各種指示などの入力のためのキーを備え、データの入力をおこなう。また、タッチパネル式の入力パッドやテンキーなどであってもよい。マウス２１０は、カーソルの移動や範囲選択、あるいはウィンドウの移動やサイズの変更などをおこなう。ポインティングデバイスとして同様に機能を備えるものであれば、トラックボールやジョイスティックなどであってもよい。
【００７３】
スキャナ２１１は、画像を光学的に読み取り、入力処理システム内に画像データを取り込む。また、プリンタ２１２は、画像データや文書データを印刷する。プリンタ２１２には、たとえば、レーザプリンタやインクジェットプリンタを採用することができる。ディスクドライブ２１３は、ＣＰＵ２０１の制御にしたがって、着脱可能な記録媒体であるＣＤ／ＤＶＤディスク２１６に対するデータのリードを制御する。
【００７４】
（画像情報データベースのデータ内容）
つぎに、図１に示した画像情報データベース３００のデータ内容について説明する。図３は、画像情報データベース３００のデータ内容を示す説明図である。画像情報データベース３００は、画像ごとに、画像ＩＤ３０１と、精算情報３０２と、画像データ３０３と、から構成されている。
【００７５】
ここで、精算情報３０２とは、印刷画像データを印刷出力したときにユーザに対して精算処理をおこなう金額である。たとえば、この精算情報３０２は、印刷画像データを印刷出力したときにユーザに対して課金する金額とすることができる。この場合の金額は、印刷支援サーバ１１０によって予め算出されている。簡単に説明すると、ある広告画像を提供する企業は、一つの広告画像に対して印刷処理装置１２０を用いたユーザに課金する金額の総額と、広告の印刷出力枚数（宣伝回数に相当）を設定する。
【００７６】
この設定により印刷支援サーバ１１０は、（課金金額の総額）／（広告の印刷出力枚数）によって、広告の１枚あたりの課金金額を算出し、この算出した課金金額を画像情報データベース３００の精算情報３０２に設定する。この構成によれば、広告を宣伝するための課金金額を、予め定めたユーザ数（印刷出力枚数と同義）で分配し、印刷出力したユーザに対して直接支払うようになっている。
【００７７】
また、精算情報３０２は、画像データを印刷出力したときにユーザに対して支払いを求める金額、すなわち、画像の購入料金とすることもできる。また、画像データ３０３は、たとえばビットマップデータによって構成されている。この画像情報データベース３００は、具体的には、図２に示したＲＯＭ２０２、ＲＡＭ２０３、ＨＤ２０５、ＦＤ２１４、ＣＤ／ＤＶＤディスク２１６などによって、その機能を実現する。
【００７８】
（ユーザ情報データベースのデータ内容）
つぎに、図１に示したユーザ情報データベース４００のデータ内容について説明する。図４は、ユーザ情報データベース４００のデータ内容を示す説明図である。ユーザ情報データベース４００は、ユーザごとに、画像の提供を受けるユーザに関する情報によって構成されている。
【００７９】
すなわち、ユーザ情報データベース４００は、ユーザＩＤ４０１と、印刷支援サーバ１１０にアクセスするためのパスワード４０２と、ユーザの個人情報４０３（住所、氏名、連絡先など）と、ユーザが保有する印刷処理装置１２０のシリアル番号（プリンタＩＤ）４０４と、画像所得状況４０５と、金銭情報４０６と、から構成されている。
【００８０】
ここで、画像取得状況４０５は、異なる複数（１〜ｎ）の画像毎にユーザの印刷出力回数の履歴を記録しておくために設けられる。画像取得状況４０５は、各画像についての画像ＩＤ４０５ａと、この画像の印刷出力回数（印刷回数、あるいは印刷枚数）４０５ｂの情報からなる。画像取得状況４０５は、画像データを印刷出力する毎にそれぞれの取得情報が図示のように履歴として記録されるようになっている。
【００８１】
このユーザ情報データベース４００は、具体的には、図２に示したＲＯＭ２０２、ＲＡＭ２０３、ＨＤ２０５、ＦＤ２１４、ＣＤ／ＤＶＤディスク２１６などによって、その機能を実現する。
【００８２】
（印刷支援サーバの機能的構成）
つぎに、この発明の実施の形態にかかる印刷支援サーバ１１０の機能的構成について説明する。図５は、この発明の実施の形態にかかる印刷支援サーバ１１０の機能的構成を示すブロック図である。
【００８３】
この印刷支援サーバ１１０は、図３に示した画像情報データベース３００と、図４に示したユーザ情報データベース４００と、通信部５０１と、認証部５０２と、画像情報抽出部５０３と、一覧情報生成部５０４と、画像データ分割処理部５０５と、画像データ暗号処理部５０６と、送信制御部５０７と、精算処理部５０８と、から構成されている。
【００８４】
通信部５０１は、ネットワーク１３０を介して、種々のデータの送受信をおこなう。この通信部５０１は、具体的には、図２に示したＩ／Ｆ２０８によってその機能を実現する。
【００８５】
認証部５０２は、印刷処理装置１２０からの画像データの取得要求があった場合に、認証処理をおこなう。たとえば、任意のユーザから画像データの取得要求があった場合、その取得要求をした印刷処理装置１２０から送信されてくるユーザのユーザＩＤ、パスワードおよびプリンタＩＤと、ユーザ情報データベース４００に記憶されているユーザ情報と、に基づいて、認証処理を実行する。
【００８６】
そして、認証されなかった場合は、その印刷処理装置１２０に対し認証ＮＧ出力をおこなう。一方、認証された場合には、認証ＯＫ出力をおこなう。この認証部５０２は、具体的には、図２に示したＲＯＭ２０２、ＲＡＭ２０３、ＨＤ２０５、ＦＤ２１４、ＣＤ／ＤＶＤディスク２１６などに記録されたプログラムをＣＰＵ２０１が実行することによって、またはＩ／Ｆ２０８によって、その機能を実現する。
【００８７】
画像情報抽出部５０３は、画像情報データベース３００から画像情報を抽出する。たとえば、認証部５０２によって認証ＯＫ出力がされた場合、画像情報データベース３００から画像ＩＤ３０１および画像データ３０３を抽出する。また、画像ＩＤ３０１の選択入力があった場合、選択された画像ＩＤ３０１に対応する画像データ３０３を抽出する。この画像情報抽出部５０３は、具体的には、図２に示したＲＯＭ２０２、ＲＡＭ２０３、ＨＤ２０５、ＦＤ２１４、ＣＤ／ＤＶＤディスク２１６などに記録されたプログラムをＣＰＵ２０１が実行することによって、またはＩ／Ｆ２０８によって、その機能を実現する。
【００８８】
一覧情報生成部５０４は、画像情報抽出部５０３によって抽出された画像データ３０３を縮小してサムネイル画像を生成する。そして、生成したサムネイル画像およびその画像ＩＤ３０１を含む一覧情報を、通信部５０１に出力する。この一覧情報生成部５０４は、具体的には、図２に示したＲＯＭ２０２、ＲＡＭ２０３、ＨＤ２０５、ＦＤ２１４、ＣＤ／ＤＶＤディスク２１６などに記録されたプログラムをＣＰＵ２０１が実行することによって、またはＩ／Ｆ２０８によって、その機能を実現する。
【００８９】
画像データ分割処理部５０５は、画像情報抽出部５０３によって抽出された画像データを、複数に分割する。具体的には、画像データの一部の領域を抽出するなど、領域ごとに分割することができる。また、画像データを、色空間によって表現されるチャネルごとに分割することもできる。たとえば、色空間をＲＧＢによって表現すると、１枚の画像データは、Ｒの画像データと、Ｇの画像データと、Ｂの画像データと、に分割することができる。
【００９０】
また、ＲＧＢのほか、ＣＭＹＫ、ＨＳＢ、Ｌａｂなどの各種色空間の表現方法も用いることができる。この画像データ分割処理部５０５は、具体的には、図２に示したＲＯＭ２０２、ＲＡＭ２０３、ＨＤ２０５、ＦＤ２１４、ＣＤ／ＤＶＤディスク２１６などに記録されたプログラムをＣＰＵ２０１が実行することによって、またはＩ／Ｆ２０８によって、その機能を実現する。
【００９１】
画像データ暗号処理部５０６は、画像データ分割処理部５０５の分割によって得られた複数の分割データのうち、一また複数の分割データを、所定の暗号方式によって暗号化する。以後、暗号化された分割データを「暗号化分割データ」と称する。
【００９２】
ここで、この暗号方式について一例をあげる。たとえば、画像データの一部の領域を抽出した場合は、その抽出した一部の領域をサンプリングすることによって得られた格子点（画素）の画素値をパスフレーズとして暗号鍵を生成する。そして、この暗号鍵によって残余の画像データを暗号化する。
【００９３】
また、色空間によって画像データをチャネルごとに分割した場合、いずれかのチャネルの分割データを用いてサンプリングされた格子点（画素）の画素値をパスフレーズとして暗号鍵を生成する。そして、この暗号鍵によって残余の画像データを暗号化する。
【００９４】
この画像データ暗号処理部５０６は、具体的には、図２に示したＲＯＭ２０２、ＲＡＭ２０３、ＨＤ２０５、ＦＤ２１４、ＣＤ／ＤＶＤディスク２１６などに記録されたプログラムをＣＰＵ２０１が実行することによって、またはＩ／Ｆ２０８によって、その機能を実現する。
【００９５】
送信制御部５０７は、画像データ分割処理部５０５の分割によって得られた分割データを、通信部５０１に送信する。また、画像データ暗号処理部５０６の暗号処理によって得られた暗号化分割データおよび暗号鍵を、通信部５０１に送信する。送信制御部５０７は、これら送信する各種データの送信順序を制御する。
【００９６】
たとえば、複数の分割データのうち、一部の分割データを先に送信して、他の分割データを後に送信することができる。また、暗号処理を適用する場合は、一部の分割データを、他の分割データによって暗号化して、この暗号化分割データを先に送信する。そして、暗号化されていない他の分割データに、一部の分割データを暗号化した暗号鍵を添付して、後に送信することとしてもよい。
【００９７】
また、上述のいずれの場合においても、後の送信については、所定の条件を満たした場合にのみ送信するように制御することとしてもよい。具体的には、印刷処理装置１２０から広告画像を取得するに際し、先の送信の終了後、印刷処理装置１２０から精算処理をおこなう旨の入力があった場合にのみ、後の送信をおこなうこととしてもよい。
【００９８】
この送信制御部５０７は、具体的には、図２に示したＲＯＭ２０２、ＲＡＭ２０３、ＨＤ２０５、ＦＤ２１４、ＣＤ／ＤＶＤディスク２１６などに記録されたプログラムをＣＰＵ２０１が実行することによって、またはＩ／Ｆ２０８によって、その機能を実現する。
【００９９】
精算処理部５０８は、印刷処理装置１２０から精算処理をおこなう旨の入力があった場合に、画像の取得に際して生じる料金の精算処理を実行する。具体的には、取得要求した画像データの精算情報と、ユーザ情報データベース４００に記憶されているユーザの金銭情報４０６とに基づいて精算する。
【０１００】
たとえば、ユーザに対し課金する場合は、ユーザの金銭情報４０６に、取得要求した画像データの精算情報３０２を加算する。また、ユーザに料金を支払ってもらう場合には、ユーザの金銭情報（金銭残高）４０６から、取得要求した画像データの精算情報３０２を減算する。
【０１０１】
この精算処理部５０８は、具体的には、図２に示したＲＯＭ２０２、ＲＡＭ２０３、ＨＤ２０５、ＦＤ２１４、ＣＤ／ＤＶＤディスク２１６などに記録されたプログラムをＣＰＵ２０１が実行することによって、またはＩ／Ｆ２０８によって、その機能を実現する。
【０１０２】
（印刷処理装置の機能的構成）
つぎに、この発明の実施の形態にかかる印刷処理装置１２０の機能的構成について説明する。図６は、この発明の実施の形態にかかる印刷処理装置１２０の機能的構成を示すブロック図である。この印刷処理装置１２０は、通信部６０１と、入力部６０２と、表示部６０３と、入力／表示制御部６０４と、画像データ復号処理部６０５と、画像データ復元部６０６と、データ消去部６０７と、印刷部６０８と、から構成されている。
【０１０３】
通信部６０１は、ネットワーク１３０を介して、種々のデータの送受信をおこなう。この通信部６０１は、具体的には、図２に示したＩ／Ｆ２０８によってその機能を実現する。入力部６０２は、ユーザの操作による各種入力データ（たとえば、ユーザＩＤ４０１、パスワード４０２またはプリンタＩＤ４０４の入力、画像ＩＤ３０１の選択入力、精算処理の可否など）をおこなう。
【０１０４】
この入力部６０２は、具体的には、図２に示したキーボード２０９、マウス２１０などによってその機能を実現する。また、表示部６０３は、通信部６０１から入力されてくる各種データを表示する。この表示部６０３は、具体的には、図２に示したディスプレイ２０７によってその機能を実現する。
【０１０５】
入力／表示制御部６０４は、入力部６０２から入力された各種入力データ（たとえば、ユーザＩＤ４０１、パスワード４０２またはプリンタＩＤ４０４の入力、画像ＩＤ３０１の選択入力、精算処理の可否など）を通信部６０１に出力する。また、入力／表示制御部６０４は、通信部６０１から出力されてくるＨＴＭＬファイルやＸＭＬファイルなどの各種データを表示部６０３に表示させる。
【０１０６】
この入力／表示制御部６０４は、具体的には、図２に示したＲＯＭ２０２、ＲＡＭ２０３、ＨＤ２０５、ＦＤ２１４、ＣＤ／ＤＶＤディスク２１６などに記録されたプログラムをＣＰＵ２０１が実行することによって、またはＩ／Ｆ２０８によって、その機能を実現する。
【０１０７】
画像データ復号処理部６０５は、通信部６０１から出力されてくる暗号化された一部の分割データを、他の分割データに添付された暗号鍵によって復号する。そして、画像データ復元部６０６に、復号化された画像データを出力する。この画像データ復号処理部６０５は、具体的には、図２に示したＲＯＭ２０２、ＲＡＭ２０３、ＨＤ２０５、ＦＤ２１４、ＣＤ／ＤＶＤディスク２１６などに記録されたプログラムをＣＰＵ２０１が実行することによって、またはＩ／Ｆ２０８によって、その機能を実現する。
【０１０８】
画像データ復元部６０６は、複数の分割データを合成して、元の画像データを復元する。具体的には、領域分割された分割データについては、各分割データの境界が一致するように合成する。また、色空間によってチャネル分割された分割データについては、各チャネルの分割データの座標が一致するように重ね合わせることにより合成する。これにより、印刷支援サーバに記憶されていた状態の画像データに復元することができる。
【０１０９】
この画像データ復元部６０６は、具体的には、図２に示したＲＯＭ２０２、ＲＡＭ２０３、ＨＤ２０５、ＦＤ２１４、ＣＤ／ＤＶＤディスク２１６などに記録されたプログラムをＣＰＵ２０１が実行することによって、またはＩ／Ｆ２０８によって、その機能を実現する。
【０１１０】
データ消去部６０７は、暗号鍵が添付された他の分割データが受信されなかった場合に、暗号化画像データを消去する。また、印刷出力された印刷画像データを消去する。このデータ消去部６０７は、具体的には、図２に示したＲＯＭ２０２、ＲＡＭ２０３、ＨＤ２０５、ＦＤ２１４、ＣＤ／ＤＶＤディスク２１６などに記録されたプログラムをＣＰＵ２０１が実行することによって、またはＩ／Ｆ２０８によって、その機能を実現する。
【０１１１】
印刷部６０８は、画像データ復元部６０６によって復元された画像データを印刷出力する。この印刷部６０８は、図１に示したプリンタ１２２（または図２に示したプリンタ２１２）によってその機能を実現する。
【０１１２】
（印刷支援サーバの印刷支援処理手順）
つぎに、この発明の実施の形態にかかる印刷支援サーバ１１０の印刷支援処理手順について説明する。図７は、この発明の実施の形態にかかる印刷支援サーバ１１０の印刷支援処理手順を示すフローチャートである。
【０１１３】
まず、任意の印刷処理装置１２０から、ユーザＩＤ、パスワードおよびプリンタＩＤを受信した場合（ステップＳ７０１：Ｙｅｓ）、認証をおこなう（ステップＳ７０２）。この認証処理は、ユーザ情報データベース４００を参照することによっておこなう。認証されなかった場合は（ステップＳ７０２：Ｎｏ）、ステップＳ７０１に戻る。
【０１１４】
そして、認証された場合（ステップＳ７０２：Ｙｅｓ）、画像情報データベース３００内に記憶されているすべての画像データのサムネイル画像を生成し、これらサムネイル画像と画像ＩＤと精算金額とからなる一覧情報を、認証された印刷処理装置１２０に対して送信する（ステップＳ７０３）。
【０１１５】
つぎに、認証された印刷処理装置１２０によって選択された画像ＩＤ（以下、「選択画像ＩＤ」と称す。）を受信した場合（ステップＳ７０４：Ｙｅｓ）、選択画像ＩＤに対応する画像データを、画像情報データベース３００から抽出し、抽出した画像データを分割する（ステップＳ７０５）。そして、認証された印刷処理装置１２０に対して、精算処理の確認要求のための精算確認要求情報と、複数の分割データのうち一部の分割データとを送信する（ステップＳ７０６）。
【０１１６】
そして、認証された印刷処理装置１２０から、精算確認要求情報に対する精算確認情報を受信した場合（ステップＳ７０７：Ｙｅｓ）、他の分割データを、認証された印刷処理装置１２０に送信する（ステップＳ７０８）。
【０１１７】
この印刷支援サーバ１１０の処理手順によれば、画像データを分割してネットワーク１３０を介して送信するため、ネットワーク１３０上で第三者に取得されても、画像の一部や色が抜けているため、完全な状態で印刷出力をおこなうことができず、セキュリティの向上を図ることができる。
【０１１８】
また、精算確認をおこなった場合にのみ、他の分割データを送信して復元させることができ、印刷支援サーバ１１０側が意図したユーザに対して、画像データを印刷させることができる。
【０１１９】
（印刷処理装置の印刷処理手順）
つぎに、この発明の実施の形態にかかる印刷処理装置１２０の印刷処理手順について説明する。図８は、この発明の実施の形態にかかる印刷処理装置１２０の印刷処理手順を示すフローチャートである。
【０１２０】
まず、ユーザが入力部６０２を操作することによって、表示部６０３に表示されているログイン画面９００（図９を参照）の各入力欄９０１〜９０３に、ユーザＩＤ、パスワードおよびプリンタＩＤが入力された場合（ステップＳ８０１：Ｙｅｓ）、ログインボタン９０４を押下することによって、ユーザＩＤ、パスワードおよびプリンタＩＤを、印刷支援サーバ１１０に送信する（ステップＳ８０２）。
【０１２１】
そして、上述のように印刷支援サーバ１１０によって認証されたことにより、サムネイル画像、画像ＩＤおよび精算金額を含んだ一覧情報を受信した場合（ステップＳ８０３：Ｙｅｓ）、表示部６０３に一覧情報を表示する（ステップＳ８０４）。図１０は、表示部６０３によって表示された一覧情報の表示画面１０００の一例を示す説明図である。
【０１２２】
この一覧情報の表示画面１０００は、ＨＴＭＬやＸＭＬ等のマークアップ言語で記述された一覧情報をブラウザによって表示したものである。この一覧情報の表示画面１０００には、画像ＩＤ１００１ａ〜１００６ａと、精算金額１００１ｂ〜１００６ｂと、サムネイル画像１００１ｃ〜１００６ｃと、からなる画像情報１００１〜１００６が画像データごとに複数（図１０では６個）表示されている。また、印刷支援サーバ１１０は、サムネイル画像１００１ｃ〜１００６ｃの表示数を任意に設定でき、ページ変更キー１０１０、１０１１により前後ページに移動することができる。
【０１２３】
ユーザは、入力部６０２としてのマウスを操作して、印刷出力したいサムネイル画像にカーソルを合わせて、マウスをクリックすることにより、その画像ＩＤを選択することができる。この操作によって画像ＩＤを選択した場合（ステップＳ８０５：Ｙｅｓ）、印刷支援サーバ１１０に対して選択画像ＩＤを送信する（ステップＳ８０６）。
【０１２４】
この後、印刷支援サーバ１１０から、選択画像ＩＤに対応する一部の分割データおよび精算確認要求情報を受信した場合（ステップＳ８０７：Ｙｅｓ）、精算確認要求情報を表示する（ステップＳ８０８）。図１１は、表示部６０３によって表示された精算確認要求情報の表示画面１１００の一例を示す説明図である。
【０１２５】
図１１に示すように、精算確認要求情報の表示画面１１００には、選択画像ＩＤ、精算金額およびサムネイル画像からなる選択画像情報が表示されている。この例では、選択画像情報として図１０に示した画像情報１００５が選択された場合を示している。
【０１２６】
また、精算確認要求情報の表示画面１１００には、精算処理の承認を確認するためのボタン１１０１、１１０２が表示されている。そして、ユーザが入力部６０２としてのマウスを操作して、「ＯＫ」ボタン１１０１を押下した場合、精算処理の確認がされることとなる。一方、「一覧に戻る」ボタン１１０２を押下した場合、精算処理の確認がされないこととなる。
【０１２７】
そして、「一覧に戻る」ボタン１１０２を押下することにより精算確認がなされない場合（ステップＳ８０９：Ｎｏ）、受信した一部の分割データを消去する（ステップＳ８１０）。これにより、印刷をおこなわないデータの蓄積を防止し、セキュリティの向上を図ることができる。そして、ステップＳ８０４に移行する。
【０１２８】
一方、「ＯＫ」ボタン１１０１を押下することにより、精算確認がされた場合（ステップＳ８０９：Ｙｅｓ）、印刷支援サーバ１１０に対し精算確認情報を送信する（ステップＳ８１１）。そして、他の分割データを受信した場合（ステップＳ８１２：Ｙｅｓ）、この他の分割データと、先に受信した一部の分割データと、を合成して、画像データを復元する（ステップＳ８１３）。
【０１２９】
図１２は、復元処理によって復元された画像データを示す説明図である。ここで、画像データ１２０１は、一例として、図１１において選択した画像情報について復元した画像データである。そして、「印刷」ボタン１２００を押下することにより、復元された画像データ１２０１を印刷出力する（ステップＳ８１４）。そして、画像データを消去する（ステップＳ８１５）。これにより、復元した画像データのコピーや、復元した画像データについて精算確認をしない再印刷出力を防止することができる。
【０１３０】
つぎに、この印刷支援システム１００における画像データの具体的な処理について模式的に説明する。図１３は、図１１に示す画像情報が選択された場合に、その画像データを領域分割によって供給する例を示す模式図である。図１４は、図１１に示す画像情報が選択された場合に、その画像データを、色空間（たとえばＲＧＢ）を用いた分割によって供給する例を示す模式図である。なお、図１３および図１４中のステップ番号は、図７および図８に示したフローチャートのステップ番号である。
【０１３１】
図１３に示すように、印刷支援サーバ１１０では、画像データ１２０１を、画像データ（一部の分割データ）１２０２と、画像データ（他の分割データ）１２０３と、に分割する（ステップＳ７０５）。一部の分割データ１２０２を先に送信し（ステップＳ７０６）、精算確認後に、他の分割データ１２０３を送信する（ステップＳ７０８）。
【０１３２】
一方、印刷処理装置１２０では、一部の分割データ１２０２を受信し（ステップＳ８０７）、精算確認をした場合に他の分割データ１２０３を受信する（ステップＳ８１２）。そして、一部の分割データ１２０２と他の分割データ１２０３とを合成し、元の画像データ１２０１に復元する（ステップＳ８１３）。
【０１３３】
これによれば、印刷処理装置１２０では、一部の分割データ１２０２のみを受信しても、印刷画像に抜けが生じるため、完全な状態で印刷をおこなうことができない。特に、他の分割データ１２０３を、その画像データ１２０１の特徴部分（この例では、画像中の人物の顔）とすることにより、精算確認されていない場合において、完全な状態での印刷出力を阻止することができる。
【０１３４】
一方、精算確認をした場合には、他の分割データ１２０３を受信することができるため、合成処理により画像データ１２０１を復元することができる。したがって、ユーザが選択した画像を、完全な状態で印刷出力することができ、ユーザが期待したとおりの広告やコンテンツ画像を自宅で入手することができる。
【０１３５】
また、図１４に示すように、印刷支援サーバ１１０では、画像データ１２０１を、ＲＧＢ中Ｒ（赤）のみの画像データ（一部の分割データ）１２０１Ｒと、Ｇ（緑）のみの画像データ（一部の分割データ）１２０１Ｇと、Ｂ（青）のみの画像データ（他の分割データ）１２０１Ｂと、に分割する（ステップＳ７０５）。一部の分割データ１２０１Ｒ、１２０１Ｇを先に送信し（ステップＳ７０６）、精算確認後に、他の分割データ１２０１Ｂを送信する（ステップＳ７０８）。
【０１３６】
一方、印刷処理装置１２０では、一部の分割データ１２０１Ｒ、１２０１Ｇを受信し（ステップＳ８０７）、精算確認をした場合に他の分割データ１２０１Ｂを受信する（ステップＳ８１２）。そして、一部の分割データ１２０１Ｒ、１２０１Ｇと他の分割データ１２０１Ｂとを合成し、元の画像データ１２０１に復元する（ステップＳ８１３）。
【０１３７】
これによれば、印刷処理装置１２０では、一部の分割データ１２０１Ｒ、１２０１Ｇのみによって印刷出力をおこなっても、選択した画像とは異なる色の画像が印刷されることとなる。一方、精算確認をした場合には、他の分割データ１２０１Ｂを受信することができるため、合成処理により画像データを復元することができる。したがって、ユーザが選択した画像を、完全な状態で印刷出力することができ、ユーザが期待したとおりの広告やコンテンツ画像を自宅で入手することができる。
【０１３８】
（暗号処理を用いた印刷支援サーバの印刷支援処理手順）
つぎに、この発明の実施の形態にかかる、暗号処理を用いた印刷支援サーバ１１０の印刷支援処理手順について説明する。図１５は、この発明の実施の形態にかかる、暗号処理を用いた印刷支援サーバ１１０の印刷支援処理手順を示すフローチャートである。なお、図７に示すステップと同一ステップについては同一ステップ番号を付し、その説明を省略する。
【０１３９】
画像データを分割した（ステップＳ７０５）後、複数の分割データのうち一部の分割データを暗号化する（ステップＳ１５０１）。すなわち、複数の分割データのうち他の分割データをサンプリングすることによって得られた格子点（画素）の画素値をパスフレーズとして暗号鍵を生成する。そして、この暗号鍵によって、一部の分割データを暗号化する。
【０１４０】
そして、認証された印刷処理装置１２０に対して、暗号化された一部の分割データと、精算処理の確認要求のための精算確認要求情報と、を送信する（ステップＳ１５０２）。そして、認証された印刷処理装置１２０から、精算確認要求情報に対する精算確認情報を受信した場合（ステップＳ１５０３：Ｙｅｓ）、暗号鍵を、その生成元となる他の分割データに添付して、認証された印刷処理装置１２０に送信する（ステップＳ１５０４）。
【０１４１】
この印刷支援サーバ１１０の処理手順によれば、画像データを分割してネットワーク１３０を介して送信するため、ネットワーク１３０上で第三者に取得されても、画像の一部や色が抜けているため、完全な状態で印刷出力をおこなうことができず、セキュリティの向上を図ることができる。
【０１４２】
（暗号処理を用いた印刷処理装置の印刷処理手順）
つぎに、この発明の実施の形態にかかる、暗号処理を用いた印刷処理装置１２０の印刷処理手順について説明する。図１６は、この発明の実施の形態にかかる、暗号処理を用いた印刷処理装置１２０の印刷処理手順を示すフローチャートである。なお、図８に示すステップと同一ステップについては同一ステップ番号を付し、その説明を省略する。
【０１４３】
印刷支援サーバ１１０に対して選択画像ＩＤを送信した（ステップＳ８０６）後、印刷支援サーバ１１０から、選択画像ＩＤに対応する暗号化分割データ（暗号化された一部の分割データ）および精算確認要求情報を受信した場合（ステップＳ１６０１：Ｙｅｓ）、図１１に示すように、精算確認要求情報を表示する（ステップＳ１６０２）。
【０１４４】
そして、図１１に示す「一覧に戻る」ボタン１１０２を押下することにより精算確認がなされない場合（ステップＳ１６０３：Ｎｏ）、暗号化分割データを消去する（ステップＳ１６０４）。これにより、印刷をおこなわないデータの蓄積を防止し、セキュリティの向上を図ることができる。そして、ステップＳ８０４に移行する。
【０１４５】
一方、図１１に示す「ＯＫ」ボタン１１０１を押下することにより、精算確認がされた場合（ステップＳ１６０３：Ｙｅｓ）、印刷支援サーバ１１０に対し精算確認情報を送信する（ステップＳ１６０５）。そして、暗号鍵が添付された他の分割データを受信した場合（ステップＳ１６０６：Ｙｅｓ）、暗号化分割データを暗号鍵によって復号する（ステップＳ１６０７）。
【０１４６】
そして、復号された一部の分割データと他の分割データとを合成して、図１２に示すように画像データを復元する（ステップＳ１６０８）。そして、図１２に示すように「印刷」ボタン１２００を押下することにより、復元された画像データ１２０１を印刷出力する（ステップＳ１６０９）。そして、画像データを消去する（ステップＳ１６１０）。これにより、復元した画像データのコピーや、復元した画像データについて精算確認をしない再印刷出力を防止することができる。
【０１４７】
つぎに、この暗号処理を用いた印刷支援システムにおける画像データの具体的な処理について模式的に説明する。図１７は、図１１に示す画像情報が選択された場合に、その画像データを領域分割によって供給する例を示す模式図である。また、図１８は、図１１に示す画像情報が選択された場合に、その画像データを、色空間（たとえばＲＧＢ）を用いた分割によって供給する例を示す模式図である。なお、図１７および図１８中のステップ番号は、図１５および図１６に示したフローチャートのステップ番号である。
【０１４８】
図１７に示すように、印刷支援サーバ１１０では、画像データ１２０１を、画像データ（一部の分割データ）１２０２と、画像データ（他の分割データ）１２０３と、に分割する（ステップＳ７０５）。そして、他の分割データ１２０３から暗号鍵１７０１を生成し、一部の分割データ１２０２を暗号化する（ステップＳ１５０１）。そして、この暗号化された一部の分割データ１７０２を印刷処理装置に先に送信し（ステップＳ１５０２）、精算確認後に、他の分割データ１２０３及び暗号鍵１７０１を送信する（ステップＳ１５０４）。
【０１４９】
一方、印刷処理装置１２０では、暗号化された一部の分割データ１７０２を受信し（ステップＳ１６０１）、精算確認をした場合に他の分割データ１２０３及び暗号鍵１７０１を受信する（ステップＳ１６０６）。そして、暗号鍵１７０１によって暗号化された一部の分割データ１７０２を復号する（ステップＳ１６０７）。この復号化された一部の分割データ１２０２と他の分割データ１２０３とを合成し、元の画像データ１２０１に復元する（ステップＳ１６０８）。
【０１５０】
これによれば、印刷処理装置１２０では、一部の分割データ１２０２のみを受信しても、受信した画像データは暗号化されているため、印刷をおこなうことができない。特に、他の分割データ１２０３を、その画像データ１２０１の特徴部分（この例では、画像中の人物の顔）とすることにより、精算確認されていない場合において、完全な状態での印刷出力を阻止することができる。
【０１５１】
一方、精算確認をした場合には、他の分割データ１２０３を受信することができるため、合成処理により画像データを復元することができる。したがって、ユーザが選択した画像を、完全な状態で印刷出力することができ、ユーザが期待したとおりの広告やコンテンツ画像を自宅で入手することができる。
【０１５２】
また、図１８に示すように、印刷支援サーバ１１０では、画像データ１２０１を、ＲＧＢ中Ｒ（赤）のみの画像データ（一部の分割データ）１２０１Ｒと、Ｇ（緑）のみの画像データ（一部の分割データ）１２０１Ｇと、Ｂ（青）のみの画像データ（他の分割データ）１２０１Ｂと、に分割する（ステップＳ７０５）。
【０１５３】
そして、他の分割データ１２０１Ｂから暗号鍵１８００を生成し、一部の分割データ１２０１Ｒ、１２０１Ｇを暗号化する（ステップＳ１５０１）。そして、この暗号化された一部の分割データ（暗号化分割データ）１８０１Ｒ、１８０１Ｇを印刷処理装置１２０に先に送信し（ステップＳ１５０２）、精算確認後に、他の分割データ１２０１Ｂおよび暗号鍵１８００を送信する（ステップＳ１５０４）。
【０１５４】
一方、印刷処理装置１２０では、一部の分割データ１８０１Ｒ、１８０１Ｇを受信し（ステップＳ１６０１）、精算確認をした場合に、暗号鍵１８００が添付された他の分割データ１２０１Ｂを受信する（ステップＳ１６０６）。そして、暗号鍵１８００によって、暗号化分割データ１８０１Ｒ、１８０１Ｇを復号する（ステップＳ１６０７）。そして、復号化された一部の分割データ１２０１Ｒ、１２０１Ｇと、他の分割データ１２０１Ｂとを合成し、元の画像データ１２０１に復元する（ステップＳ１６０８）。
【０１５５】
これによれば、印刷処理装置１２０では、一部の分割データ１２０１Ｒ、１２０１Ｇのみによって印刷出力をおこなっても、暗号化されているため、選択した画像を印刷することができない。一方、精算確認をした場合には、他の分割データ１２０１Ｂを受信することができるため、合成処理により画像データを復元することができる。したがって、ユーザが選択した画像を、完全な状態で印刷出力することができ、ユーザが期待したとおりの広告やコンテンツ画像を自宅で入手することができる。
【０１５６】
このように、この実施の形態にかかる印刷支援システム１００によれば、暗号鍵が添付された他の分割データを受信した場合にのみ、画像データの復元をおこなうことができる。したがって、複数の分割データを、印刷処理装置１２０に対して別々に送信することにより、印刷処理装置１２０が受信するまでの間に、第三者がいずれかの分割データを取得しても、第三者による完全な状態での印刷を阻止することができる。
【０１５７】
これにより、広告や、絵画、写真、グラビア、ポスターなどの画像について正規のルートによって流通または公表を図りたいという著作者（画像データの提供者）の期待と、第三者による取得や流通を阻止したいという著作者（画像データの提供者）の要求と、を同時に実現することができる。
【０１５８】
また、街頭のポスターなどの広告は、一般に入手することが困難であるが、この印刷支援システム１００によれば、一般に入手困難な広告を、自宅において簡単に入手することができる。
【０１５９】
また、新聞紙に掲載されている広告や写真などについては、新聞紙の紙質上、色の再現性については限界があるが、そのような広告や写真などについても、この印刷支援システム１００によれば、高品質な印刷画像を、自宅において簡単に入手することができる。
【０１６０】
また、雑誌に掲載されている広告や、絵画、写真、グラビア、ポスターなどをユーザが個人的に活用したい場合、雑誌から切り抜かなければならないが、そのような広告や、絵画、写真、グラビア、ポスターなどについても、この印刷支援システム１００によれば、高品質な印刷画像を切り抜きなどによって傷つけることなく、自宅において簡単に入手することができる。
【０１６１】
また、テレビＣＭなど映像によって提供されている広告や写真などをユーザが個人的に活用したい場合も、自宅において簡単に、印刷によって入手することができる。
【０１６２】
なお、上述した実施の形態の印刷支援サーバ１１０では、精算処理部５０８における精算確認により、印刷処理装置１２０における画像データの印刷処理を許可するか否かを判定することとしたが、この印刷許可判定は、認証部５０２による認証結果によっておこなうこととしてもよい。
【０１６３】
なお、この実施の形態で説明した印刷支援方法または印刷処理方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワーク１３０を介して配布することが可能な伝送媒体であってもよい。
【産業上の利用可能性】
【０１６４】
以上のように、本発明にかかる印刷支援システム、印刷支援サーバ、印刷処理装置、印刷支援方法、印刷処理方法、印刷支援プログラムおよび印刷処理プログラムは、広告やコンテンツ画像などの画像の印刷処理に有用である。
【図面の簡単な説明】
【０１６５】
【図１】この発明の実施の形態にかかる印刷支援システムを説明するための全体構成を示す概要図である。
【図２】この発明の実施の形態にかかる印刷支援サーバおよび印刷処理装置のハードウェア構成を示すブロック図である。
【図３】この発明の実施の形態にかかる印刷支援サーバにおける画像情報データベースのデータ内容を示す説明図である。
【図４】この発明の実施の形態にかかる印刷支援サーバにおけるユーザ情報データベースのデータ内容を示す説明図である。
【図５】この発明の実施の形態にかかる印刷支援サーバの機能的構成を示すブロック図である。
【図６】この発明の実施の形態にかかる印刷処理装置の機能的構成を示すブロック図である。
【図７】この発明の実施の形態にかかる印刷支援サーバの印刷支援処理手順を示すフローチャートである。
【図８】この発明の実施の形態にかかる印刷処理装置の印刷処理手順を示すフローチャートである。
【図９】この発明の実施の形態にかかる印刷処理装置の表示部に表示されているログイン画面を示す説明図である。
【図１０】この発明の実施の形態にかかる印刷処理装置の表示部に表示された一覧情報の表示画面の一例を示す説明図である。
【図１１】この発明の実施の形態にかかる印刷処理装置の表示部に表示された精算確認要求情報の表示画面の一例を示す説明図である。
【図１２】この発明の実施の形態にかかる印刷処理装置の表示部に表示され、復元処理によって復元された画像データを示す説明図である。
【図１３】図１１に示す画像情報が選択された場合に、その画像データを領域分割によって供給する例を示す模式図である。
【図１４】図１１に示す画像情報が選択された場合に、その画像データを、色空間を用いた分割によって供給する例を示す模式図である。
【図１５】この発明の実施の形態にかかる、暗号処理を用いた印刷支援サーバの印刷支援処理手順を示すフローチャートである。
【図１６】この発明の実施の形態にかかる、暗号処理を用いた印刷処理装置の印刷処理手順を示すフローチャートである。
【図１７】図１１に示す画像情報が選択された場合に、その画像データを領域分割によって供給する例を示す模式図である。
【図１８】図１１に示す画像情報が選択された場合に、その画像データを、色空間を用いた分割によって供給する例を示す模式図である。
【符号の説明】
【０１６６】
１００  印刷支援システム
１１０  印刷支援サーバ
１２０  印刷処理装置
１３０  ネットワーク
５０１  通信部
５０５  画像データ分割処理部
５０６  画像データ暗号処理部
５０７  送信制御部
６０５  画像データ復号処理部
６０６  画像データ復元部
１２０１  画像データ
１２０２、１２０１Ｒ、１２０１Ｇ  一部の分割データ
１２０３、１２０１Ｂ  他の分割データ
１７０１、１８００  暗号鍵
【図１】
2005085120.tif 000003
【図２】
2005085120.tif 000004
【図３】
2005085120.tif 000005
【図４】
2005085120.tif 000006
【図５】
2005085120.tif 000007
【図６】
2005085120.tif 000008
【図７】
2005085120.tif 000009
【図８】
2005085120.tif 000010
【図９】
2005085120.tif 000011
【図１０】
2005085120.tif 000012
【図１１】
2005085120.tif 000013
【図１２】
2005085120.tif 000014
【図１３】
2005085120.tif 000015
【図１４】
2005085120.tif 000016
【図１５】
2005085120.tif 000017
【図１６】
2005085120.tif 000018
【図１７】
2005085120.tif 000019
【図１８】
2005085120.tif 000020